(57)【要約】【課題】情報伝送装置のモデム基盤の信号レベル測定時に使用するＵリンクと測定コードの共抜けによる通信回線の切断が発生しない信号レベル測定用切断防止回路及び終端測定用Ｕリンクを提供すること。【解決手段】一例としての情報伝送装置１１の保守点検時等における測定用回路部１６での信号レベル測定時に使用される測定コード端子１４ｂを受ける通信回線を常時接続状態とした刃受ばね２０と、情報伝送装置１１に測定コード１４の測定コード端子１４ｂを受ける測定プラグ差込口２５と、ライン側Ｘ１０と装置側Ｘ２０の間の信号を伝送する配線２３と、を備える。【選択図】図２
2009099439.tif 000002
【特許請求の範囲】
【請求項１】
情報伝送装置の信号レベル測定用切断防止回路であって、
前記情報伝送装置のモデム基盤の表面に形成された、信号レベル測定用の測定コード端子を受ける測定プラグ差込口と、
前記測定コード端子が前記測定プラグ差込口を介して電気的に接続が可能な刃受けばねであって前記情報伝送装置の内部に設置され、通信回線に常時接続した状態を維持する刃受けばねと、を備え、
前記通信回線が常時接続状態であることを特徴とする信号レベル測定用切断防止回路。
【請求項２】
情報伝送装置の信号レベル測定用切断防止回路であって、
前記情報伝送装置のモデム基盤に形成された、終端測定用ＵリンクのＵリンクプラグ端子を受けるＵリンク差込口と、
前記Ｕリンクプラグ端子が前記Ｕリンク差込口を介して電気的に接続が可能な刃受けばねであって前記情報伝送装置の内部に設置され、通信回線に常時接続した状態を維持する刃受けばねと、を備えることを特徴とする信号レベル測定用切断防止回路。
【請求項３】
情報伝送装置のモデム基盤に差し込むことができ、信号レベルの測定に用いられるＵリンクプラグ端子が差し込まれる終端測定用Ｕリンクであって、
Ｕリンク本体と、
前記Ｕリンク本体に形成されたＵリンク測定プラグ差込口と、
前記Ｕリンク本体に形成されたＵリンクプラグ端子であって、該Ｕリンクプラグ端子の片面に絶縁コーティングが形成されるＵリンクプラグ端子と、を備えることを特徴とする終端測定用Ｕリンク。
【請求項４】
前記Ｕリンクプラグ端子の片面の、絶縁コーティングが前記情報伝送装置の装置側かライン側かどちらの信号レベルの測定側に設置されているのかを示す表示部を備えることを特徴とする請求項３に記載の終端測定用Ｕリンク。
【発明の詳細な説明】
【技術分野】
【０００１】
本発明は、情報伝送装置のモデム基盤における信号レベル測定時に使用するＵリンクと測定用接続プラグとの共抜けによる通信回線の切断が発生しない信号レベル測定用切断防止回路及び終端測定用Ｕリンクに関する。
【背景技術】
【０００２】
従来、情報伝送装置の保守点検等における信号レベル測定時には、設備の測定部に適した測定コードを選定し、この測定コードの接続プラグを測定部に装着してレベル測定を実施している。使用する測定コードも挿抜タイプのコードが主流となっている。また、測定部は、情報伝送装置に対して着脱可能な中継コネクタとしてＵリンクが主流となっている。情報伝送装置のレベル測定回線部は通常切断状態になっており、レベル測定回線部を接続するためにＵリンクが使用される。このような状況で、挿抜タイプの接続プラグをＵリンクから引き抜く際にＵリンクが共抜けして情報を切断する恐れがあった。
【０００３】
なお、通信設備の保守点検等での信号レベル測定時に測定コードの接続プラグを接続するために設けられたＵリンク等の中継コネクタの脱離を防止する装置、挿抜タイプ防止の接続プラグを中継コネクタから引き抜く際に中継コネクタが共抜けすることを防止する中継コネクタ共抜防止装置が考案されている（特許文献１）。
【０００４】
しかし、本考案では、接続プラグに、接続プラグの引き抜き時に中継コネクタを装着方向に押圧しつつ自身を中継コネクタから脱離可能にする付勢機構を設けた共抜防止装置を設置し、共抜防止装置を使用することで中継コネクタの共抜けを防止する考案であり、中継コネクタの共抜防止装置の誤使用等のヒューマンエラーが発生した場合は共抜けを防止することは困難である。
【特許文献１】特開２００６−２５３００６号公報
【発明の開示】
【発明が解決しようとする課題】
【０００５】
情報伝送装置における保守点検時に情報伝送装置内部のモデム基盤における信号レベル測定時に使用するＵリンクと測定用接続コードとの共抜けによる情報の切断が発生しない信号レベル測定用切断防止回路及び終端測定用Ｕリンクの提供を目的とする。
【課題を解決するための手段】
【０００６】
以上の目的を達成するために、本発明は、以下のような信号レベル測定用切断防止回路及び終端測定用Ｕリンクを提供する。
【０００７】
（１）  情報伝送装置内部のモデム基盤に設置され、信号レベルの測定に用いられる通信回線切断防止回路であって、前記情報伝送装置内部のモデム基盤に形成された、信号レベル測定用の測定コード端子を受ける測定プラグ差込口と、前記測定コード端子が前記測定プラグ差込口を介して電気的に接続が可能な刃受けばねであって前記情報伝送装置内部のモデム基盤の内部に設置され、前記通信回線に常時接続した状態を維持する刃受けばねと、を備え、前記通信回線が常時接続状態であることを特徴とする信号レベル測定用切断防止回路。
【０００８】
（１）に記載の発明によれば、情報伝送装置の信号レベル測定時に使用される測定用回路部は測定コード端子を受ける刃受ばねが常時接続状態である。信号レベル測定時はＵリンクを使用せず直接、前記測定コード端子を前記測定プラグ差込口に差込み、測定用回路部は前記情報伝送装置におけるライン〜装置側が接続状態での信号レベル測定を行う。この状態で前記測定プラグ差込口から前記測定コード端子が抜けたとしても通信回線は接続状態であり、通信回線の切断は起こらない。
【０００９】
（２）  情報伝送装置内部のモデム基盤に設置され、信号レベルの測定に用いられる信号レベル測定用切断防止回路であって、前記情報伝送装置内部のモデム基盤に形成された、終端測定用ＵリンクのＵリンクプラグ端子を受けるＵリンク差込口と、前記Ｕリンクプラグ端子が前記Ｕリンク差込口を介して電気的に接続が可能な刃受けばねであって前記情報伝送装置内部のモデム基盤に設置され、通信回線に常時接続した状態を維持する刃受けばねと、を備えることを特徴とする信号レベル測定用切断防止回路。
【００１０】
（２）に記載の発明によれば、情報伝送装置の保守点検時における前記情報伝送装置内部のモデム基盤での信号レベル測定時に使用される測定用回路部は終端測定用ＵリンクのＵリンクプラグ端子を受ける刃受ばねが常時接続状態である。前記終端測定用Ｕリンクの絶縁コーティングを形成した前記終端測定用Ｕリンクの前記Ｕリンクプラグ端子を、前記刃受ばねが受けるＵリンク差込口に差し込む。また、前記終端測定用Ｕリンクに前記測定プラグを差し込み、切断して終端した状態での前記情報伝送装置の信号レベル測定が行える。
【００１１】
（３）  情報伝送装置内部のモデム基盤に差し込むことができ、信号レベルの測定に用いられるＵリンクプラグ端子が差し込まれる終端測定用Ｕリンクであって、Ｕリンク本体と、前記Ｕリンク本体に形成された測定差込口と、前記Ｕリンク本体に形成されたＵリンクプラグ端子であって、該Ｕリンクプラグ端子の片面に絶縁コーティングが形成されるＵリンクプラグ端子と、を備えることを特徴とする終端測定用Ｕリンク。
【００１２】
（３）に記載の発明によれば、本発明の前記終端測定用Ｕリンクは、前記Ｕリンクプラグ端子の片側が絶縁コーティングされていることにより、通信設備の保守点検時における前記情報伝送装置内部のモデム基盤のライン〜装置間での信号レベル測定時に使用される通信回線が常時接続状態で形成されていても通信回線を絶縁し、切断状態にすることが可能であり、切断状態での信号レベル測定を可能とする。
【００１３】
（４）  前記Ｕリンクプラグ端子の片面の、絶縁コーティングが前記情報伝送装置のライン側か装置側か通信端末側回線の終端側かどちらの信号レベルの測定側に接続されているのかを示す表示部を備えることを特徴とする請求項３に記載の終端測定用Ｕリンク。
【００１４】
（４）の記載の発明によれば、通信回線の終端側か、前記情報伝送装置側か、どちらの信号レベルの測定側に設置されているのかを区別する表示により測定位置の誤認識の防止が可能である。
【発明の効果】
【００１５】
本発明によれば、情報伝送装置にては常時接続状態で形成されており、情報伝送装置内部のモデム基盤の信号レベル測定時に使用するＵリンクと測定用接続コードの共抜けによる通信回線の切断発生を防止できる。
【発明を実施するための最良の形態】
【００１６】
以下、本発明の実施形態について図面に基づいて説明する。
図１は、本発明に係る情報伝送装置と通信設備の構成を示すブロック図である。
図２は、本発明に係る情報伝送装置内部のモデム基盤内ライン〜装置の間が常時接続状態であることを特徴とする信号レベル測定用切断防止回路の実施形態を示す斜視図と断面図である。
図３は、図２に示した信号レベル測定用切断防止回路の使用例を示す斜視図と断面図である。
図４は、本発明に係る通信回線が切断状態での信号レベルを測定する信号レベル測定用切断防止回路の実施形態を示す斜視図と断面図である。
図５は、図４に示した切断状態での信号レベル測定用の信号レベル測定用切断防止回路に使用される終端測定用Ｕリンクの実施形態を示す斜視図と断面図である。
図６は、図５に示した終端測定用Ｕリンクの使用例を示す斜視図と断面図である。
【００１７】
図１に示すように、情報伝送装置１１の保守点検をするときは、情報伝送装置１１の測定用回路部１６において信号レベルの測定が行われる。測定用回路部１６は、情報伝送装置１１内に設置される。そして、測定用回路部１６の間の回線は通常Ｕリンク１３にて接続状態にある。信号レベル（ハイソク状態）を測定する時は、Ｕリンク１３の差込口に測定コード１４を差し込んで信号レベルの測定が行われる。
【００１８】
図２に示すように、信号レベル測定用切断防止回路１は、測定用回路部１６に刃受ばね２０と、情報伝送装置１１に設置される信号レベル測定用の測定コード１４の測定コード端子１４ｂを受ける測定プラグ差込口２５と、ライン側Ｘ１０及び装置側Ｘ２０の情報を伝送する配線２３と、配線２３を係止する係止手段２２と、係止手段２２を設置するねじ２１と、を備える。
【００１９】
刃受ばね２０は、刃受ばね２０ａと、刃受ばね２０ｂと、刃受ばね２０ｃと、刃受ばね２０ｄと、を備える。刃受ばね２０に後述の測定コード１４の刃状の測定コード端子１４ｂを測定プラグ差込口２５から差し込んだ場合、測定コード端子１４ｂは刃受ばね２０の上部で挟持される。刃受ばね２０は、導電性部材、好ましくは黄銅製で形成されている。
【００２０】
刃受ばね２０は、刃受ばね２０ａと刃受ばね２０ｂとが繋ぎ部材２７ａで繋がれ、また、刃受ばね２０ｃと刃受ばね２０ｄが繋ぎ部材２７ｂで繋がれて形成されている。
【００２１】
信号レベル測定用切断防止回路１は、刃受ばね２０が刃受ばね２０ａと刃受ばね２０ｂが繋ぎ部材２７ａで一体として形成され、さらに、刃受ばね２０ｃと刃受ばね２０ｄが繋ぎ部材２７ｂで一体として形成され、ライン側Ｘ１０及び装置側Ｘ２０を配線２３で通信が伝送されることにより、装置側Ｘ２０とライン側Ｘ１０の間が通常接続状態となっている。
【００２２】
刃受ばね２０ａは、Ｌ型板状に形成され、その下部は貫通ねじ穴２４ａを備えている。刃受ばね２０ａは、ねじ２１ａにより配線２３ａの係止手段２２ａとともに情報伝送装置１１内に固定される。刃受ばね２０ａの上部は、後述の刃受ばね２０ｂ上部の逆Ｕ字型と一対で測定コード端子１４ｂを挟持できるように逆Ｕ型に形成される。
【００２３】
刃受ばね２０ｂは、Ｌ型板状に形成され、この下部は貫通ねじ穴２４ｂを備えている。刃受ばね２０ｂは、ねじ２１ｂにより配線２３ｂの係止手段２２ｂとともに情報伝送装置１１内に固定される。刃受ばね２０ｂの上部は、刃受ばね２０ａ上部の逆Ｕ字型と一対で測定コード端子１４ｂを挟持できるように逆Ｕ型に形成される。
【００２４】
刃受ばね２０ｃは、Ｌ型板状に形成され、この下部が貫通ねじ穴２４ｃを備えている。刃受ばね２０ｃは、ねじ２１ｃにより配線２３ｃの係止手段２２ｃとともに情報伝送装置１１内に固定される。刃受ばね２０ｃの上部は、後述の刃受ばね２０ｄ上部の逆Ｕ字型と一対で測定コード端子１４ｂを挟持できるように逆Ｕ型に形成される。
【００２５】
刃受ばね２０ｄは、Ｌ型板状に形成され、この下部は貫通ねじ穴２４ｄを備えている。刃受ばね２０ｄは、ねじ２１ｄにより配線２３ｄの係止手段２２ｄとともに情報伝送装置１１内に固定される。刃受ばね２０ｄの上部は、刃受ばね２０ｃ上部の逆Ｕ字型と一対で測定コード端子１４ｂを挟持できるように逆Ｕ型に形成される。
【００２６】
図３（ａ）に示すように、信号レベル測定用切断防止回路１は、情報伝送装置１１に信号レベル測定用の測定コード１４の測定コード端子１４ｂを差し込むための測定プラグ差込口２５ａと測定プラグ差込口２５ｂを備える。
【００２７】
図３（ｂ）に示すように、信号レベル測定用切断防止回路１は、測定コード端子１４ｂを測定プラグ差込口２５ａと測定プラグ差込口２５ｂとに差し込んだ状態ではライン側Ｘ１０と装置側Ｘ２０との間は接続した状態での信号レベル測定が可能である。
【００２８】
図３（ｃ）に示すように、信号レベル測定用切断防止回路１は、図３（ｂ）に示す測定状態からの予期しない測定コード端子１４ｂの測定プラグ差込口２５ａと測定プラグ差込口２５ｂからの抜け出し状態が発生した場合においても刃受ばね２０ａと、刃受ばね２０ｂと、刃受ばね２０ｃと、刃受ばね２０ｄと、刃受ばね２０ａと刃受ばね２０ｂ及び刃受ばね２０ｃと刃受ばね２０ｄは一体で形成されており、電気的接続状態が維持されるため通信の切断発生が防止できる。
【００２９】
図４（ａ）に示すように、信号レベル測定用切断防止回路２は、刃受ばね３０と、情報伝送装置３４に設置される後述の終端測定用ＵリンクのＵリンク差込口３５と、ライン側及び装置側の配線３３と、配線３３を係止する係止手段３２と、係止手段３２を設置するねじ３１と、を備える。なお、刃受ばね３０は、電気的接続を防止するため、刃受ばね３０の下部の間に絶縁部材３７を設置することが好ましい。
【００３０】
刃受ばね３０は、刃受ばね３０ａと、刃受ばね３０ｂと、刃受ばね３０ｃと、刃受ばね３０ｄと、を備え、終端測定用Ｕリンク３の刃状のＵリンクプラグ端子４４ａとＵリンクプラグ端子４４ｂをＵリンク差込口３５から差し込んだ場合、Ｕリンクプラグ端子４４ａとＵリンクプラグ端子４４ｂを刃受ばね３０の上部で挟持できるように形成される。刃受ばね３０ａは、導電性部材で、好ましくは黄銅製で形成されている。
【００３１】
刃受ばね３０ａは、Ｌ型板状に形成され、この下部は貫通ねじ穴３６ａを備えている。刃受ばね３０ａは、ねじ３１ａにより配線３３ａの係止手段３２ａとともに情報伝送装置３４内に固定される。刃受ばね３０ａの上部は逆Ｕ型に形成される。
【００３２】
刃受ばね３０ｂは、Ｌ型板状に形成され、この下部は貫通ねじ穴３６ｂを備えている。刃受ばね３０ｂは、ねじ３１ｂにより配線３３ｂの係止手段３２ｂとともに情報伝送装置３４内に固定される。刃受ばね３０ｂの上部は逆Ｕ型に形成される。
【００３３】
刃受ばね３０ｃは、Ｌ型板状に形成され、この下部は貫通ねじ穴３６ｃを備えている。刃受ばね３０ｃは、ねじ３１ｃにより配線３３ｃの係止手段３２ｃとともに情報伝送装置内に固定される。刃受ばね３０ｃの上部は逆Ｕ型に形成される。
【００３４】
刃受ばね３０ｄは、Ｌ型板状に形成され、この下部は貫通ねじ穴３６ｄを備えている。刃受ばね３０ｄは、ねじ３１ｄにより配線３３ｂの係止手段３２ｂとともに情報伝送装置内に固定される。刃受ばね３０ｄの上部は逆Ｕ型に形成される。
【００３５】
刃受ばね３０ａの上部逆Ｕ型部と、刃受ばね３０ｂ上部の逆Ｕ型部及び刃受ばね３０ｃ上部逆Ｕ型部と刃受ばね３０ｄ上部の逆Ｕ型部は互いにばね板で押圧接触し電気的に接続可能な状態で情報伝送装置３４内に設置される。
【００３６】
なお、刃受ばね３０ａは、下部に絶縁部材３７ａを備えた状態で刃受ばね３０ｂによって絶縁部材３７ａを挟み込み情報伝送装置３４内に固定される。刃受ばね３０ｃは下部に絶縁部材３７ｂを備えた状態で刃受ばね３０ｄにて絶縁部材３７ｂを挟み込み情報伝送装置３４内に固定される。
【００３７】
図４（ｂ）に示すように、信号レベル測定用切断防止回路２は、後述する終端測定用Ｕリンク３のＵリンクプラグ端子４４ａが差込口３５ｂから差し込まれない状態では、刃受ばね３０ａの上部逆Ｕ型部と刃受ばね３０ｂ上部の逆Ｕ型部及び刃受ばね３０ｃ上部逆Ｕ型部と刃受ばね３０ｄ上部の逆Ｕ型部は互いにばね板で押圧接触し電気的に接続可能な状態で情報伝送装置３４内に設置されているため、通信回線は接続状態にある。
【００３８】
図４（ｃ）に示すように、信号レベル測定用切断防止回路２は、後述する終端測定用Ｕリンク３のＵリンクプラグ端子４４ａがＵリンクの差込口３５ｂから差し込まれた時、Ｕリンクプラグ端子４４ａの絶縁部材側に接した刃受ばね３０ａ側のライン側Ｘ１０が絶縁された状態となり装置側Ｘ２０の信号レベル測定が可能となる。
【００３９】
図５に示すように、終端測定用Ｕリンク３は、Ｕリンク本体４０と、Ｕリンク本体４０内部に設置される、刃受ばね４１と、Ｕリンクプラグ端子４４ａと、Ｕリンクプラグ端子４４ｂと、終端測定用Ｕリンク３のＵリンク本体４０表面に設置される測定コード１４ａを受けるＵリンク測定プラグ差込口４３と、表示部５０と、を備えている。
【００４０】
刃受ばね４１は、刃受ばね４１ａと、刃受ばね４１ｂと、刃受ばね４１ｃと、刃受ばね４１ｄと、を備え測定コード１４の刃状の測定コード端子１４ｂをＵリンク測定プラグ差込口４３から差し込んだ場合、測定コード端子１４ｂを刃受ばね４１の上部で挟持できるように形成される。刃受ばね４１ａは、導電性部材、好ましくは黄銅製で形成されている。
【００４１】
刃受ばね４１ａは、Ｌ型板状に形成され、この下部は貫通ねじ穴４６ａを備えている。刃受ばね４１ａは、ねじ４２ａによりＵリンク本体４０内部に固定される。刃受ばね４１ａの上部は逆Ｕ型に形成される。
【００４２】
刃受ばね４１ｂは、Ｌ型板状に形成され、この下部は貫通ねじ穴４６ｂを備えている。刃受ばね４１ｂは、ねじ４２ｂによりＵリンク本体４０内部に固定される。刃受ばね４１ｂの上部は逆Ｕ型に形成される。
【００４３】
刃受ばね４１ｃは、Ｌ型板状に形成され、この下部は貫通ねじ穴４６ｃを備えている。刃受ばね４１ｃは、ねじ４２ｃによりＵリンク本体４０内部に固定される。刃受ばね４１ｃの上部は逆Ｕ型に形成される。
【００４４】
刃受ばね４１ｄは、Ｌ型板状に形成され、この下部は貫通ねじ穴４６ｄを備えている。刃受ばね４１ｄは、ねじ４２ｄによりＵリンク本体４０内部に固定される。刃受ばね４１ｄの上部は逆Ｕ型に形成される。
【００４５】
Ｕリンクプラグ端子４４ａは、上端がＬ型板状に形成されたＬ型プラグ４４１と、片面に絶縁コーティング４４２と、を備える。上端のＬ型板部には、貫通ねじ穴４６ｅが形成され、ねじ４２ｃによりＵリンク本体４０に設置される。Ｕリンクプラグ端子４４ａは、導電性部材、好ましくは黄銅製で形成されている。
【００４６】
また、Ｌ型プラグ４４１の上端のＬ型板部は、導電性部材の繋ぎ部材４５ａにより刃受ばね４１ｃの下部Ｌ型板状部に繋がれ、Ｌ型プラグ４４１からの信号を刃受ばね４１ａに伝えることを可能とする。
【００４７】
Ｕリンクプラグ端子４４ｂは、上端がＬ型板状に形成されたＬ型プラグ４４３と、片面に絶縁コーティング４４４と、を備える。上端のＬ型板部には、貫通ねじ穴４６ｆが形成され、ねじ４２ｆによりＵリンク本体４０に設置される。Ｕリンクプラグ端子４４ｂは、導電性部材、好ましくは黄銅製で形成されている。
【００４８】
また、Ｌ型プラグ４４３の上端のＬ型板部は、導電性部材の繋ぎ部材４５ｂにより刃受ばね４１ｄ下部に繋がれ、Ｌ型プラグ４４３からの信号を刃受ばね４１ｃに伝えることを可能とする。
【００４９】
ＵリンクのＵリンク本体４０のＵリンク測定プラグ差込口４３が設置される表面と同じ面には、Ｕリンクプラグ端子４４のＬ型プラグ４４１、４４３が設置されている面を示す表示部５０が形成される。表示部５０により、終端測定用Ｕリンク３は、回線のライン側Ｘ１０か、装置側Ｘ２０か、どちらの信号レベルの測定側にＬ型プラグ４４１、４４３が設置されているのかを区別できるため、測定位置の誤認識の防止が可能である。
【００５０】
図６（ａ）に示すように、終端測定用Ｕリンク３は、Ｕリンク本体４０のＵリンクプラグ端子４４ａ・４４ｂのＬ型プラグ４４１・４４３側をライン側Ｘ１０に向けて差込口３５ｂに差し込み、Ｕリンク本体４０のＵリンク測定プラグ差込口４３に測定コード端子１４ｂを差し込んだ状態ではライン側Ｘ１０と装置側Ｘ２０との間の回線は装置側Ｘ２０が切断した状態であり、ライン側Ｘ１０の信号レベル（終端）の測定が可能である。
【００５１】
図６（ｂ）に示すように、信号レベル測定用切断防止回路２は、信号レベルの測定終了後の測定コード１４ａの抜き取り時にＵリンク差込口３５からのＸ２方向への終端測定用Ｕリンク３との共抜き状態が発生した場合においても刃受ばね３０ａと、刃受ばね３０ｂとは、ばね板による押圧により接触状態となり装置側Ｘ２０とライン側Ｘ１０の間の回線は接続状態が保たれるため、通信回線の切断が発生しない。
【００５２】
以上本発明の実施形態を説明したが、本実施形態では、情報伝送装置の具体例を例示したに過ぎず、本実施形態では、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００５３】
【図１】本発明に係る信号レベル測定用切断防止回路を備えた情報伝送装置内部のモデム基盤の一部の構成を示すブロック図である。
【図２】図１に示した信号レベル測定用切断防止回路の実施形態を示す斜視図と断面図である。
【図３】図２に示した信号レベル測定用切断防止回路の使用例を示す斜視図と断面図である。
【図４】本発明に係る別の信号レベル測定用切断防止回路の実施形態を示す斜視図と断面図である。
【図５】図４に示した信号レベル測定用切断防止回路に使用される終端測定用Ｕリンクの実施形態を示す斜視図と断面図である。
【図６】図５に示した終端測定用Ｕリンクの使用例を示す断面図である。
【符号の説明】
【００５４】
１、２    信号レベル測定用切断防止回路
３        終端測定用Ｕリンク
１１      情報伝送装置
１２      通信装置
１３      Ｕリンク
１４      測定コード
１６      測定用回路部
２０      刃受ばね
２１      ねじ
２２      係止手段
２３      配線
２４      ねじ穴
２５      測定プラグ差込口
２７      繋ぎ部材
３０      刃受ばね
３１      ねじ
３２      係止手段
３３      配線
３４      情報伝送装置
３５      Ｕリンク差込口
３６      ねじ穴
４０      Ｕリンク本体
４１      刃受ばね
４２      ねじ
４３      Ｕリンク測定プラグ差込口
４４      Ｕリンクプラグ端子
４５      繋ぎ部材
４６      ねじ穴
５０      表示部
４４１  Ｌ型プラグ
４４２  絶縁コーティング
４４３  Ｌ型プラグ
４４４  絶縁コーティング
【図１】
2009099439.tif 000003
【図２】
2009099439.tif 000004
【図３】
2009099439.tif 000005
【図４】
2009099439.tif 000006
【図５】
2009099439.tif 000007
【図６】
2009099439.tif 000008